(57)【要約】【課題】複数の光ファイバからの光を分波することのできる、コンパクトな光分波器を提供する。【解決手段】光ファイバ１ｃから放出された光は、マイクロレンズ２ｃにより平行光束とされ、回折格子３に入射する。回折格子３によって分光されたλ１〜λ５の波長の光は、マイクロレンズ３によって、波長毎に集光される。他の光ファイバ１ａ、１ｂ、１ｄ、１ｅから放出された光も、同様の光路をたどって分光されるが、（ｂ）に示すように各光ファイバの位置が横にずれているので、マイクロレンズ２ａ〜２ｅを通った光は、回折格子３の異なる場所を照明する。よって、反射光の光路も紙面の垂直方向にずれて、マイクロレンズ４ａ〜４ｅに入り、紙面に垂直な方向に異なった位置に集光される。これらの光は、光ファイバ群５ａ〜５ｅにより、次の装置に導かれる。【選択図】  図１
2004302047.tif 000002
【特許請求の範囲】
【請求項１】
異なる複数の波長域の光を成分として含む光を導波し、その端面から放出する第１の光ファイバ群と、前記第１の光ファイバ群から放出される光をコリメートするコリメート光学系と、当該コリメートされた光を分光する分光素子と、当該分光素子によって分光された光を集光する集光光学系と、集光された光を受光し導波する第２の光ファイバ群を有し、前記第１の光ファイバ群の複数の光ファイバと前記コリメータ光学系とは、前記コリメート光学系でコリメートされた光が、前記光ファイバ毎に前記分光素子の異なる場所に入射するように配列され、前記第２の光ファイバ群の複数の光ファイバは、前記第１の光ファイバ群の複数の光ファイバの各光ファイバから放出されて分光された光を、前記第１の光ファイバ群の光ファイバ毎、及び複数の波長域毎に別々に入射可能な位置に配置されていることを特徴とする光分波器。
【請求項２】
異なる複数の波長域の光を成分として含む光を導波し、その端面から放出する第１の光ファイバ群と、前記第１の光ファイバ群から放出される光をコリメートするコリメート光学系と、当該コリメートされた光を分光する分光素子と、当該分光素子によって分光された光を集光する集光光学系と、集光された光を受光し導波する第２の光ファイバ群を有し、前記第１の光ファイバ群の複数の光ファイバは、前記コリメート光学系でコリメートされた光の、前記分光素子への射影が、前記分光素子と前記分光素子の分光面の交線に対してなす角度が、前記光ファイバ毎に異なる角度となるように配列され、前記第２の光ファイバ群の複数の光ファイバは、前記第１の光ファイバ群の複数の光ファイバの各光ファイバから放出されて分光された光を、前記第１の光ファイバ群の光ファイバ毎、及び複数の波長域毎に別々に入射可能な位置に配置されていることを特徴とする光分波器。
【請求項３】
１本の光ファイバに合成して集光すべき波長域の光を導波して放出する複数の光ファイバのセットを複数有する第１の光ファイバ群と、前記第１の光ファイバ群から放出される光をコリメートするコリメート光学系と、当該コリメートされた光を合波する分光素子と、当該分光素子によって合波されて放出された光を集光する集光光学系と、集光された光を受光し導波する第２の光ファイバ群を有し、前記第１の光ファイバ群の前記光ファイバのセット内の光ファイバと前記コリメート光学系とは、前記コリメート光学系でコリメートされた光が、互いに前記分光素子の同一の点に入射し、かつ、そのとき前記分光素子から放出される光が１つの光線となるような位置に配置され、さらに、前記光ファイバのセット間では、前記コリメート光学系でコリメートされた光の、前記分光素子への射影が、前記分光素子と前記分光素子の分光面の交線に対してなす角度が、前記光ファイバ毎に異なる角度となるように配列され、前記コリメート光学系でコリメートされた光が、互いに前記分光素子の異なる点にするように配置されており、前記第２の光ファイバ群は、前記第２の光ファイバ群の光ファイバのセット毎に１つの光に集約され、前記集光光学系により集光された光を、それぞれ受光可能な位置に配置されていることを特徴とする光合波器。
【請求項４】
１本の光ファイバに合成して集光すべき波長域の光を導波して放出する複数の光ファイバのセットを複数有する第１の光ファイバ群と、前記第１の光ファイバ群から放出される光をコリメートするコリメート光学系と、当該コリメートされた光を合波する分光素子と、当該分光素子によって集光されて放出された光を集光する集光光学系と、集光された光を受光し導波する第２の光ファイバ群を有し、前記第１の光ファイバ群の前記光ファイバのセット内での光ファイバは、前記コリメート光学系でコリメートされた光が、互いに前記分光素子の同一の点に入射し、かつ、そのとき前記分光素子から放出される光が１つの光線となるような位置に配置され、さらに、前記光ファイバのセット間では、前記コリメート光学系でコリメートされた光の、前記分光素子への射影が、前記分光素子と前記分光素子の分光面の交線に対してなす角度が、前記光ファイバのセット毎に異なる角度となるように配列されており、前記第２の光ファイバ群は、前記第２の光ファイバ群の光ファイバのセット毎に１つの光に集約され、前記集光光学系により集光された光を、それぞれ受光可能な位置に配置されていることを特徴とする光合波器。
【発明の詳細な説明】
【０００１】
【発明の属する技術分野】
本発明は、特にＷＤＭ（波長分割多重）光通信の分野において、複数の波長域の光を成分として有する光から、各波長域の光を分波して取り出すような目的に使用される光合成器、及び複数の波長域の光を合波して１つの光とする光合波器に関するものである。
【０００２】
【従来の技術】
従来、ＷＤＭ（波長分割多重）光通信における光分波合波器として、例えば誘電体多層膜ダイクロイックミラー、ファイバーブラッググレーティング（ＦＢＧ）、グレーティング分光器、ＡＷＧ（アレイ導波路グレーティング）を用いたもの等が実用化されている（例えば、特許第３３４６７５１号公報、特開２０００−１６５３５６号公報）。
【０００３】
このうち誘電体多層膜ダイクロイックミラー、ファイバーブラッググレーティングを用いたものはチャネル数が４程度であり、ＡＷＧを用いたものは主として数十チャネル程度である。グレーティング分光器形の光分波合波器では数チャネルから数十チャネルまでのものが実現でき、ＡＷＧ形の光分波合波器ほどチャネル数を必要としない、ＷＤＭ光通信用に適していると考えられており、過去に幾つかの応用例が示されている。
【０００４】
図３に回折格子を分光素子として使用したＷＤＭ光通信用光分波器の１例の概要図を示す。λ１〜λ５の波長の光が合成されたＷＤＭ光通信用の光は、光ファイバ１１の端面から広がって放出される。この光はコリメート光学系１２により平行光束とされ、回折格子１３に入射する。回折格子によって分光されたλ１〜λ５の波長の光は、集光光学系１４によって、波長毎に集光される。各波長毎の集光点には光ファイバ群１５が設けられており、それぞれの光ファイバは、分波されたλ１〜λ５の波長ごとの光を、次の処理装置に導く。
【０００５】
以上の説明は、図３に示す装置を分波器として使用するものとして行ったが、同じ装置を合波器として使用できる。即ち、光ファイバ群１５の各々の光ファイバから放出される波長λ１〜λ５の光を、光学系１４に通す。光学１４は、今度はコリメート光学系として作用する。そして、回折格子１３は、集光素子として作用し、異なる方向から入射する波長λ１〜λ５の光を合成し、１つの光束として反射する。この反射光を光学系１２に通す。光学系１２は、今度は集光光学系として作用し、この反射光を集光する。集光点に光ファイバ１１の端面を置くことにより、光ファイバ１１は、波長λ１〜λ５を成分とするＷＤＭ光通信用の光を伝搬する。
【０００６】
【特許文献１】特許第３３４６７５１号公報
【特許文献２】特開２０００−１６５３５６号公報
【０００７】
【発明が解決しようとする課題】
しかしながら、このような光合分波器は、１本の光ファイバから放出される光を分波して複数の光ファイバで受けたり、複数の光ファイバから放出される光を合波して１本の光ファイバにまとめたりすることができるだけであった。ところが、実際の光通信装置においては、複数の光ファイバから放出される光を分波したり、逆に複数組の光ファイバから放出される光を合波して複数本の光ファイバにまとめたりする必要がある。そのためには、図３に示すような光合分波器を複数設ける必用があり、装置が高価となるばかりでなく、スペースを必要とするという問題点があった。
【０００８】
本発明はこのような事情に鑑みてなされたもので、複数の光ファイバからの光を分波したり、逆に複数組の光ファイバから放出される光を合波して複数本の光ファイバにまとめたりすることのできる、コンパクトな光分波器、及び光合波器を提供することを課題とする。
【０００９】
【課題を解決するための手段】
前記課題を解決するための第１の手段は、異なる複数の波長域の光を成分として含む光を導波し、その端面から放出する第１の光ファイバ群と、前記第１の光ファイバ群から放出される光をコリメートするコリメート光学系と、当該コリメートされた光を分光する分光素子と、当該分光素子によって分光された光を集光する集光光学系と、集光された光を受光し導波する第２の光ファイバ群を有し、前記第１の光ファイバ群の複数の光ファイバと前記コリメート光学系とは、前記コリメート光学系でコリメートされた光が、前記光ファイバ毎に前記分光素子の異なる場所に入射するように配列され、前記第２の光ファイバ群の複数の光ファイバは、前記第１の光ファイバ群の複数の光ファイバの各光ファイバから放出されて分光された光を、前記第１の光ファイバ群の光ファイバ毎、及び複数の波長域毎に別々に入射可能な位置に配置されていることを特徴とする光分波器（請求項１）である。
【００１０】
本手段においては、第１の光ファイバ群の端面から放出される光を、コリメート光学系によりコリメートし、分光素子に照射する。この場合、各光ファイバ群から放出される光により照明される分光素子の領域は異なっているようにされるが、その一部同士は重なっていてもよい。すると、各々の光ファイバからの光は、分光素子の異なった部分で分光され、分光された光は集光光学系を介して集光される。
【００１１】
その際、分光素子の異なった部分で分光された光は、異なった位置に集光される。よって、集光される点は、波長域に対応する方向（分光素子の分波の方向）を１つの軸とし、第１の光ファイバ群の配列の方向を他の１つの軸とする２次元配列となる（２つの軸は直交することが望ましいが、必ずしも直交する必要はない）。よって、この２次元配列に対応して第２の光ファイバ群を配置すれば、第１の光ファイバ群を構成する光ファイバ毎の光を、波長域に分解して第２の光ファイバ群で受光することができる。この光学系において、分光素子は共通に使うことができるので、構成が簡単となり、スペースをとらないものとなる。
【００１２】
前記課題を解決するための第２の手段は、異なる複数の波長域の光を成分として含む光を導波し、その端面から放出する第１の光ファイバ群と、前記第１の光ファイバ群から放出される光をコリメートするコリメート光学系と、当該コリメートされた光を分光する分光素子と、当該分光素子によって分光された光を集光する集光光学系と、集光された光を受光し導波する第２の光ファイバ群を有し、前記第１の光ファイバ群の複数の光ファイバは、前記コリメート光学系でコリメートされた光の、前記分光素子への射影が、前記分光素子と前記分光素子の分光面の交線に対してなす角度が、前記光ファイバ毎に異なる角度となるように配列され、前記第２の光ファイバ群の複数の光ファイバは、前記第１の光ファイバ群の複数の光ファイバの各光ファイバから放出されて分光された光を、前記第１の光ファイバ群の光ファイバ毎、及び複数の波長域毎に別々に入射可能な位置に配置されていることを特徴とする光分波器（請求項２）である。
【００１３】
前記第１の手段においては、第１の光ファイバ群の各々の光ファイバから放出される光を、分光素子の異なる位置に照射することにより、分波された光が集光光学系で集光される位置を、第１の光ファイバ群の各々の光ファイバ毎に異ならせ、集光位置に第２の光ファイバ群を２次元マトリックス的に配置して、第１の光ファイバ群を構成する光ファイバ毎の光を、波長域に分解して第２の光ファイバ群で受光するようにしていた。
【００１４】
本手段においては、第１の光ファイバ群の各々の光ファイバから放出される光を、その分光素子への射影が、前記分光素子と前記分光素子の分光面の交線に対してなす角度が、前記光ファイバ毎に異なる角度となるようにしている。よって、分波されて反射される光の分光素子への射影が、前記分光素子と前記分光素子の分光面の交線に対してなす角度も異なり、集光光学系で集光される位置も、第１の光ファイバ群の各々の光ファイバによって異なってくる。よって、第１の手段と同じように、集光点が、波長域に対応する方向（分光素子の分波の方向）を１つの軸とし、第１の光ファイバ群の配列の方向を他の１つの軸とする２次元直交配列となる。よって、この２次元直交配列に対応して第２の光ファイバ群を配置すれば、第１の光ファイバ群を構成する光ファイバ毎の光を、波長域に分解して第２の光ファイバ群で受光することができる。この光学系において、コリメート光学系、分光素子、集光光学系は共通に使うことができるので、構成が簡単となり、スペースをとらないものとなる。
【００１５】
前記課題を解決するための第３の手段は、１本の光ファイバに合成して集光すべき波長域の光を導波して放出する複数の光ファイバのセットを複数有する第１の光ファイバ群と、前記第１の光ファイバ群から放出される光をコリメートするコリメート光学系と、当該コリメートされた光を合波する分光素子と、当該分光素子によって合波されて放出された光を集光する集光光学系と、集光された光を受光し導波する第２の光ファイバ群を有し、前記第１の光ファイバ群の前記光ファイバのセット内の光ファイバと前記コリメート光学系とは、前記コリメート光学系でコリメートされた光が、互いに前記分光素子の同一の点に入射し、かつ、そのとき前記分光素子から放出される光が１つの光線となるような位置に配置され、さらに、前記光ファイバのセット間では、前記コリメート光学系でコリメートされた光の、前記分光素子への射影が、前記分光素子と前記分光素子の分光面の交線に対してなす角度が、前記光ファイバ毎に異なる角度となるように配列され、前記コリメート光学系でコリメートされた光が、互いに前記分光素子の異なる点にするように配置されており、前記第２の光ファイバ群は、前記第２の光ファイバ群の光ファイバのセット毎に１つの光に集約され、前記集光光学系により集光された光を、それぞれ受光可能な位置に配置されていることを特徴とする光合波器（請求項３）である。
【００１６】
本手段の光学的構成は、実質的に前記第１の手段と同じで、光の向きが逆になっているのみである。光分波器で光の向きを逆にすれば光合波器として使用できることは周知の事実であり、本手段においては、複数の波長域を持つ複数組の光を、各組毎に合波して、それぞれ１本の光ファイバにまとめることができる。この光学系において、分光素子は共通に使うことができるので、構成が簡単となり、スペースをとらないものとなる。
【００１７】
前記課題を解決するための第４の手段は、１本の光ファイバに合成して集光すべき波長域の光を導波して放出する複数の光ファイバのセットを複数有する第１の光ファイバ群と、前記第１の光ファイバ群から放出される光をコリメートするコリメート光学系と、当該コリメートされた光を合波する分光素子と、当該分光素子によって集光されて放出された光を集光する集光光学系と、集光された光を受光し導波する第２の光ファイバ群を有し、前記第１の光ファイバ群の前記光ファイバのセット内での光ファイバは、前記コリメート光学系でコリメートされた光が、互いに前記分光素子の同一の点に入射し、かつ、そのとき前記分光素子から放出される光が１つの光線となるような位置に配置され、さらに、前記光ファイバのセット間では、前記コリメート光学系でコリメートされた光の、前記分光素子への射影が、前記分光素子と前記分光素子の分光面の交線に対してなす角度が、前記光ファイバのセット毎に異なる角度となるように配列されており、前記第２の光ファイバ群は、前記第２の光ファイバ群の光ファイバのセット毎に１つの光に集約され、前記集光光学系により集光された光を、それぞれ受光可能な位置に配置されていることを特徴とする光合波器（請求項４）である。
【００１８】
本手段の光学的構成は、実質的に前記第２の手段と同じで、光の向きが逆になっているのみである。よって、複数の波長域を持つ複数組の光を、各組毎に合波して、それぞれ１本の光ファイバにまとめることができる。この光学系において、コリメート光学系、分光素子、集光光学系は共通に使うことができるので、構成が簡単となり、スペースをとらないものとなる。
【００１９】
【発明の実施の形態】
以下、本発明の実施の形態の例を、図を用いて説明する。図１は、本発明の第１の実施の形態である光分波器の光学系の概要を示す図である。この光学系は３次元配置とされているので、（ａ）に、中央部を、回折格子の分波面、すなわち分波された光が広がる面に沿って切断した図を示し、（ｂ）に（ａ）のＡ−Ａ矢視図、（ｃ）に回折格子３を上方から見た図、（ｄ）に（ａ）のＢ−Ｂ拡大矢視図を示す。
【００２０】
第１の光ファイバ群として、光ファイバ１ａ〜１ｅが、（ｂ）に示すように図の水平方向に１列に並んでいる。各々の光ファイバ１ａ〜１ｅには、波長λ１〜λ５を中心とする波長域を有する光を成分とする光が供給されている。この実施の形態では、コリメート光学系は、各々の光ファイバ１ａ〜１ｅに対して、別々に配置されたマイクロレンズ２ａ〜２ｅである。
【００２１】
（ａ）は、光ファイバ１ｃから放出された光が分波され、各波長域毎に集光される様子を示す図である。光ファイバ１ｃから放出された光は、コリメート光学系であるマイクロレンズ２ｃにより平行光束とされ、回折格子３に入射する。回折格子３によって分光されたλ１〜λ５の波長の光は、集光光学系を構成するマイクロレンズ４ｃ（（ｄ）に示すように各波長λ１〜λ５毎に設けられる）によって、波長毎に集光される。各波長毎の集光点には光ファイバ群５ｃが設けられており、それぞれの光ファイバは、分波されたλ１〜λ５の波長域ごとの光を、次の処理装置に導く。
【００２２】
他の光ファイバ１ａ、１ｂ、１ｄ、１ｅから放出された光も、同様の光路をたどって分光されるが、（ｂ）に示すように各光ファイバ１ａ〜１ｅ、及びそれに対応するマイクロレンズ２ａ〜２ｅの位置が横にずれているので、コリメート光学系２を通った光は、回折格子３の異なる場所（（ａ）で紙面に垂直な方向にずれている）を照明する。照明光によって形成されるスポットを（ｃ）の６ａ〜６ｅとして示す。スポット６ａ〜６ｅは、それぞれ光ファイバ１ａ〜１ｅに対応している。よって、反射光の光路も紙面の垂直方向にずれて、マイクロレンズ４ａ〜４ｅに入り、紙面に垂直な方向に異なった位置に集光される。すなわち、この実施の形態においては、集光光学系は、分光される各波長毎に配置されたマイクロレンズ４ａ〜４ｅである。なお、（ｃ）においては、各スポット６ａ〜６ｅは互いに重なり合っていないが、その一部が重なり合うようになっていても、溶くに問題はない。
【００２３】
第２の光ファイバ群は（ｄ）に示すように直交マトリックス状に配置されており、５ａが、光ファイバ１ａから放出されて分光された光を受光し、５ｂが、光ファイバ１ｂから放出されて分光された光を受光し、５ｃが、光ファイバ１ｃから放出されて分光された光を受光し、５ｄが、光ファイバ１ｄから放出されて分光された光を受光し、５ｅが、光ファイバ１ｅから放出されて分光された光を受光する。そして、それぞれが、その配列と直交する方向（（ｄ）で上下方向）に、λ１〜λ５の波長域の光を受光する光ファイバを有している。
【００２４】
以上の説明は、図１に示す装置を分波器として使用するものとして行ったが、同じ装置を合波器として使用できる。即ち、光ファイバ群５ａ〜５ｅの各々の光ファイバから放出される波長λ１〜λ５の光を、光学系４に通す。光学系４は、今度はコリメート光学系として作用する。そして、回折格子３は、集光素子として作用し、異なる方向から入射する波長λ１〜λ５の光を合成し、１つの光束として反射する。この反射光を光学系２に通す。光学系２は、今度は集光光学系として作用し、この反射光を集光する。集光点に光ファイバ１ａ〜１ｅの端面を置くことにより、光ファイバ１ａ〜１ｅは、その各々が波長λ１〜λ５の波長域を成分とするＷＤＭ光通信用の光を伝搬する。
【００２５】
以上の説明においては分波器、合波器として回折格子を使用して説明したが、プリズムを使用しても同様の効果が得られることは言うまでもない。
【００２６】
図２に、本発明の第２の実施の形態である光分波器の光学系の概要を示す。前記第１の実施の形態においては、回折格子３の分波面と直角な方向に光ファイバ１ａ〜１ｅを並べ、放出される光の光軸とコリメート光学系２の光軸が平行になるようにして、各光ファイバ１ａ〜１ｅから放出される光が、回折格子３の異なる面を照射するようにし、それにより、分光された光が、集光光学系４により、光ファイバ１ａ〜１ｅに対応して異なる点に集光されるようにしていた。
【００２７】
第２の実施の形態においては、このような光学系の配置をとる代わりに、光ファイバ１ａ〜１ｅから放出され、回折格子３に入射する光の角度を、その回折格子３の射影が、回折格子３と回折格子３の分光面（紙面）の交線に対してなす角度が、前記光ファイバ毎に異なる角度となるようにする。
【００２８】
この光学系は３次元配置とされているので、（ａ）に、中央部を、回折格子の分波面、すなわち分波された光が広がる面に沿って切断した図を示し、（ｂ）に（ａ）のＡ−Ａ矢視図、（ｃ）に回折格子３を上方から見た図、（ｄ）に（ａ）のＢ−Ｂ拡大矢視図を示す。
【００２９】
第１の光ファイバ群として、光ファイバ１ａ〜１ｅが、（ｂ）に示すように図の水平方向に１列に並んでいる。各々の光ファイバ１ａ〜１ｅには、波長λ１〜λ５を中心とする波長域を有する光を成分とする光が供給されている。この実施の形態では、コリメート光学系は、各々の光ファイバ１ａ〜１ｅに対して共通のコリメートレンズ２である。
【００３０】
（ａ）は、光ファイバ１ｃから放出された光が分波され、各波長域毎に集光される様子を示す図である。光ファイバ１ｃから放出された光は、コリメート光学系であるマイクロレンズ２ｃにより平行光束とされ、回折格子３に入射する。回折格子３によって分光されたλ１〜λ５の波長の光は、集光光学系を構成する集光レンズ４によって、波長毎に集光される。各波長毎の集光点には光ファイバ群５ｃが設けられており、それぞれの光ファイバは、分波されたλ１〜λ５の波長域ごとの光を、次の処理装置に導く。この実施の形態においては、集光光学系は、集光レンズ４である。
【００３１】
他の光ファイバ１ａ、１ｂ、１ｄ、１ｅから放出された光も、同様の光路をたどり、（ｃ）に示すように回折格子３の略同じ部分を照明して放出されるが、光ファイバ１ａ〜１ｅから放出され、回折格子３に入射する光の角度は、その回折格子への射影が回折格子３と回折格子の分光面（紙面）の光線になす角度が、前記光ファイバ毎に異なる角度となるようにされているので、回折格子３で反射された光も、分光面に対して異なった方向に射出する。よって、集光レンズ４で集光される位置が光ファイバ１ａ〜１ｂによって異なり、図１に示すとほぼ同様な第２の光ファイバ群の配置により、第１の光ファイバ群を構成する光ファイバ毎の光を波長域に分解して、第２の光ファイバ群で受光することができる。この光学系においては、コリメート光学系、分光素子、集光光学系を共通に使うことができ、構成がさらに簡単になり、スペースをとらないものとなる。
【００３２】
第２の光ファイバ群は（ｄ）に示すように直交マトリックス状に配置されており、５ａが、光ファイバ１ａから放出されて分光された光を受光し、５ｂが、光ファイバ１ｂから放出されて分光された光を受光し、５ｃが、光ファイバ１ｃから放出されて分光された光を受光し、５ｄが、光ファイバ１ｄから放出されて分光された光を受光し、５ｅが、光ファイバ１ｅから放出されて分光された光を受光する。そして、それぞれが、その配列と直交する方向（（ｄ）で上下方向）に、λ１〜λ５の波長域の光を受光する光ファイバを有している。
【００３３】
又、このような光学系においても、光の向きを逆にすれば、合波器として使用できることは説明を要しないであろう。さらに、以上の説明においては分波器、合波器として回折格子を使用して説明したが、プリズムを使用しても同様の効果が得られることは言うまでもない。
【００３４】
【発明の効果】
以上説明したように、本発明によれば、複数の光ファイバからの光を分波したり、逆に複数組の光ファイバから放出される光を合波して複数本の光ファイバにまとめたりすることのできる、コンパクトな光分波器、及び光合波器を提供することができる。
【００３５】
又、このような光学系においても、光の向きを逆にすれば、合波器として使用できることは説明を要しないであろう。さらに、以上の説明においては分波器、合波器として回折格子を使用して説明したが、プリズムを使用しても同様の効果が得られることは言うまでもない。
【図面の簡単な説明】
【図１】本発明の第１の実施の形態である光分波器の光学系の概要を示す図である。
【図２】本発明の第１の実施の形態である光分波器の光学系の概要を示す図である。
【図３】回折格子を分光素子として使用した、従来のＷＤＭ光通信用光分波器の１例の概要図である。
【符号の説明】
１ａ〜１ｅ…光ファイバ、２…コリメートレンズ、２ａ〜２ｅ…マイクロレンズ、３…回折格子、４…集光レンズ、４ａ〜４ｅ…マイクロレンズ、５ａ〜５ｅ…光ファイバ群、６ａ〜６ｅ…スポット
【図１】
2004302047.tif 000003
【図２】
2004302047.tif 000004
【図３】
2004302047.tif 000005